(57)【要約】【課題】携帯時に肌への不快感を軽減することの可能なポシェットを提供する。【解決手段】ポシェット１００は、袋状の収容部１１０と肩紐１２０とを備え、収容部１１０の外側の少なくとも一部がタオル地からなることを特徴とする。かかる構成によれば、収容部の外側の少なくとも一部がタオル地からなるため、素肌の上にポシェット１００を付けたとしても、通気性が良く、汗も吸い取る。よって、ポシェット１００の携帯時に肌への不快感を軽減することができる。【選択図】図１
2019004936.tif 000002
【特許請求の範囲】
【請求項１】
袋状の収容部と肩紐とを備えたポシェットであって、
前記収容部の外側の少なくとも一部がタオル地からなることを特徴とする、ポシェット。
【請求項２】
前記肩紐の少なくとも一部がタオル地からなることを特徴とする、請求項１に記載のポシェット。
【請求項３】
前記収容部の内側に、メッシュＰＶＣ又は布からなる裏地を設けたことを特徴とする、請求項１又は２に記載のポシェット。
【請求項４】
前記収容部は、一枚のタオル地が折り曲げられて両側部が縫い合わされたものであることを特徴とする、請求項１〜３のいずれかに記載のポシェット。
【発明の詳細な説明】
【技術分野】
【０００１】
本発明は、袋状の収容部と肩紐とを備えたポシェットに関する。
【背景技術】
【０００２】
従来、海外旅行中にスリやひったくりなどからパスポートやカード、現金などの貴重品を守るために、首にかけて洋服の内側にぶら下げる貴重品を入れるためのポシェットが知られている（例えば、非特許文献１参照）。
【先行技術文献】
【非特許文献】
【０００３】
【非特許文献１】インターネット＜ＵＲＬ：http://goo.gl/ZoRoZW＞
【発明の概要】
【発明が解決しようとする課題】
【０００４】
しかしながら、非特許文献１に開示されるようなポシェットは、表面がナイロン、ポリエステル、ＰＶＣなどの素材でできているため、通気性が悪く、汗を吸わないので、ポシェットが汗で肌に貼り付き、不快感があるという問題がある。
【０００５】
そこで本発明は、このような問題に鑑みてなされたものであり、その目的とするところは、携帯時に肌への不快感を軽減することの可能なポシェットを提供することにある。
【課題を解決するための手段】
【０００６】
上記課題を解決するために、本発明によれば、袋状の収容部と肩紐とを備えたポシェットであって、前記収容部の外側の少なくとも一部がタオル地からなることを特徴とする、ポシェットが提供される。
【０００７】
かかる構成によれば、収容部の外側の少なくとも一部がタオル地からなるため、素肌の上にポシェットを付けたとしても、通気性が良く、汗も吸い取る。よって、ポシェットの携帯時に肌への不快感を軽減することができる。
【０００８】
本発明は、さまざまな応用が可能である。本発明の応用例は、任意に組み合わせることが可能である。
【０００９】
例えば、前記肩紐の少なくとも一部がタオル地からなるようにしてもよい。肩紐もタオル地からなることで、さらに肌への不快感を軽減することができる。またさらに、肩紐と収容部をすべてタオル地で形成すれば、生地を一種類にできるので、外観もよくコストも削減できる。
【００１０】
また、前記収容部の内側に、メッシュＰＶＣ（又は布）からなる裏地を設けてもよい。収容部の外側の一部または全部をタオル地で構成すると、強度が弱くなるおそれがある。この点、収容部の内側にメッシュＰＶＣ（又は布）からなる裏地を設けることで、通気性を確保し、タオル地の良さを生かしつつ、収容部の強度を確保することができる。
【００１１】
また、前記収容部は、一枚のタオル地が折り曲げられて（２つ折り、３つ折り）両側部が縫い合わされたものであってもよい。簡易な方法により、収容部の外側の少なくとも一部をタオル地で構成することができる。
【発明の効果】
【００１２】
本発明によれば、携帯時に肌への不快感を軽減することの可能なポシェットを提供することが可能である。本発明のその他の効果については、以下の発明を実施するための形態の項でも説明する。
【図面の簡単な説明】
【００１３】
【図１】第１の実施形態のポシェット１００の構成を概略的に示す図である。
【図２】ポシェット１００を身に着けた状態を示す図である。
【発明を実施するための形態】
【００１４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１５】
本発明の一実施形態について説明する。図１は、本実施形態に係るポシェット１００の構成を概略的に示す図である。
【００１６】
本実施形態にかかるポシェット１００は、図１に示したように、袋状の収容部１１０と肩紐１２０とを備える。以下、各構成要素について詳細に説明する。
【００１７】
（収容部１１０）
収容部１１０は、物品を収容する部分である。収容部１１０の上端は開放された開口部１１０ａとなっている。この開口部１１０ａから内部に物品を出し入れ可能である。収容部１１０には、パスポート、現金、クレジットカードなどの貴重品を収納可能である。
【００１８】
収容部１１０は、タオル地で構成されている。タオル地には一般的なものを用いることができる。タオル地について概説すると、タオル地とは、主に綿で作られる織物である。緯糸を織り込む際に、たて糸の一部（パイル糸）を緩めて布地にループ状の部分を形成し、保温性、保湿性、吸水性を高めたものである。パイルが片面のものと両面のものがある。タオル地には、容易に抗菌加工を施すことができる。本実施形態のポシェット１００についても、必要な個所に抗菌加工を施すことにより、衛生性を高めることができる。タオル地については、当業者であれば容易に理解できるものであるため、これ以上の詳細な説明を省略する。
【００１９】
収容部１１０の内側には、メッシュＰＶＣからなる裏地１１２が設けられている。収容部１１０の外側をタオル地で構成すると、強度が弱くなるおそれがある。この点、収容部１１０の内側にメッシュＰＶＣからなる裏地１１２を設けることで、通気性を確保し、タオル地の良さを生かしつつ、収容部１１０の強度を確保することができる。
【００２０】
なお、収容部１１０は、開口部１１０ａにファスナーや面ファスナーを設けたり、蓋のようなものを設けたりして開閉できるようにしてもよい。
【００２１】
（肩紐１２０）
肩紐１２０は、収容部１１０を首からぶら下げたり、肩にたすき掛けしたりするためのものである。肩紐１２０は、図１に示したように、細長い紐状の形状である。両端部が収容部１１０の開口部１１０ａの近傍に縫い付けられている。肩紐１２０は、２本重ねた又は２つ折にした紐状の部材を縫い付けて形成してもよく、１枚の紐状の部材でもよい。肩紐１２０もタオル地で構成されている。
【００２２】
なお、肩紐１２０は、両端部を収容部１１０に直接縫い付ける構成に限定されない。例えば、両端部をリング状の金具を介して収容部１１０に取り付けるようにしてもよい。
【００２３】
以上、ポシェット１００の構成について説明した。次に、ポシェット１００の使い方について説明する。
【００２４】
まず、ポシェット１００の収容部１１０に、パスポートやクレジットカード、現金などの貴重品ＫＨを収納する。このように収容部１１０に貴重品を収納したのち、例えば、図２に示したように、肩紐１２０にたすき掛けして、収容部１１０を体の前にぶら下げる。ポシェット１００は素肌の上に着けて、ポシェット１００の上に肌着や洋服がくるようにする。このようにポシェット１００を身に着けることによって、収容部１１０に収納している貴重品ＫＨが外部から直接見えず、また、下着や服によって外部から収容部１１０に直接手が届かないので、防犯上安全である。なお、肩紐１２０を首にぶら下げて、収容部１１０を体の前にぶら下げるようにしても、たすき掛けしたときと同様の効果がある。
【００２５】
（本実施形態の効果）
以上説明したように、本実施形態によれば、収容部１１０の外側がタオル地からなるため、素肌の上にポシェット１００を付けたとしても、通気性が良く、汗も吸い取る。よって、ポシェット１００の携帯時に肌への不快感を軽減することができる。
【００２６】
また、肩紐１２０もタオル地からなることで、さらに肌への不快感を軽減することができる。また、肩紐１２０と収容部１１０をすべてタオル地で形成したので、生地を一種類にでき、外観もよくコストも削減できる。
【００２７】
また、収容部１１０の内側に、メッシュＰＶＣからなる裏地を設けたことで、通気性を確保し、タオル地の良さを生かしつつ、収容部１１０の強度を確保することができる。
【００２８】
以上、添付図面を参照しながら本発明の好適な実施形態について説明したが、本発明はかかる例に限定されないことは言うまでもない。当業者であれば、実用新案登録請求の範囲に記載された範疇内において、各種の変更例又は修正例に想到し得ることは明らかであり、それらについても当然に本発明の技術的範囲に属するものと了解される。
【００２９】
例えば、上記実施形態では、収容部１１０の全体がタオル地からなる例について説明したが、本発明はこれに限定されない。収容部の外側の少なくとも一部がタオル地からなっていればよい。同様に、上記実施形態では、肩紐１２０の全体がタオル地からなる例について説明したが、肩紐の少なくとも一部がタオル地からなっていればよい。なお、収容部の一部又は全部がタオル地からなる構成であれば、肩紐は必ずしもタオル地でなくてもよい。
【００３０】
また、上記実施形態では、収容部１１０の内側に、メッシュＰＶＣからなる裏地１１２を設けた構成について説明したが、本発明はこれに限定されない。収容部の内側に裏地を設けなくてもよい。また、収容部の内側に裏地を設ける場合であっても、材質はメッシュＰＶＣに限定されず、例えば布からなる裏地を設けてもよい。
【００３１】
また、上記実施形態では、収容部１１０として、ポシェットのごく一般的な形態を例に挙げて説明したが、本発明はこれに限定されない。例えば、収容部として、一枚のタオル地が折り曲げられて（２つ折り、３つ折り）両側部が縫い合わされたものであってもよい。簡易な方法により、収容部の外側の少なくとも一部をタオル地で構成することができる。また、方形状の２枚の布を重ね合わせて、重ね合わせた底辺と両側辺を縫い合わせて形成してもよい。また、収容部は方形状ではなく、角にアールが形成されていたり、楕円形や円形であったり、動物の形状であったり、さまざまな形状とすることができる。更には、収容部の底面にマチを設けてもよい。このようなさまざまな形態の収容部において、その少なくとも一部をタオル地として構成することができる。
【００３２】
以上説明した実施形態・応用例・変形例等は、適宜組み合わせて実施することができる。
【産業上の利用可能性】
【００３３】
本発明は、ポシェットに利用可能である。
【符号の説明】
【００３４】
１００  ポシェット
１１０  収容部
１１０ａ  開口部
１１２  裏地
１２０  肩紐
ＫＨ  貴重品
【図１】
2019004936.tif 000003
【図２】
2019004936.tif 000004